(57)【特許請求の範囲】
【請求項１】
内部が減圧された減圧容器の下側に配置され、前記減圧容器に気密状態で連結され、前記減圧容器から落下された液相の媒体を収容する第１容器と、
前記減圧容器の上側に配置され、前記第１容器及び前記減圧容器に気密状態で連結され、前記減圧容器に液相の媒体を落下させる第２容器と、
前記第１容器に収容されている液相の媒体を加熱して蒸発させ、第２容器内の気相の媒体を冷却して凝縮させて、前記第１容器から前記第２容器に前記媒体を気相で輸送させる輸送部と、
前記第２容器内の圧力を調整する調整部と、を備え、
前記調整部は、前記第２容器に収容されている液相の媒体を加熱又は冷却して前記圧力を調整する媒体輸送システム。
【請求項２】
液相の媒体を蒸発させ、気相の媒体を凝縮させる前記減圧容器としての蒸発凝縮器と、
請求項１に記載の媒体輸送システムと、
前記蒸発凝縮器に気密状態で連結され、内部に蓄熱材を有し、前記蒸発凝縮器で蒸発させた気相の媒体を前記蓄熱材に反応させて発熱し、前記媒体と反応した前記蓄熱材から前記蒸発凝縮器で凝縮される気相の媒体を生成させて蓄熱する蓄熱器と、
を備えた蓄熱システム。
【請求項３】
液相の媒体を蒸発させ、気相の媒体を凝縮させる前記減圧容器としての蒸発凝縮器と、
請求項１に記載の媒体輸送システムと、
前記蒸発凝縮器に気密状態で連結され、内部に蓄熱材を有し、前記蒸発凝縮器で蒸発させた気相の媒体を前記蓄熱材に反応させて発熱し、前記媒体と反応した前記蓄熱材から前記蒸発凝縮器で凝縮される気相の媒体を生成させて蓄熱する蓄熱器と、
を備えたヒートポンプ。
【発明の詳細な説明】
【技術分野】
【０００１】
本発明は、媒体輸送システム、蓄熱システム及びヒートポンプに関する。
【背景技術】
【０００２】
特許文献１には、その図１に示されるように、反応装置と、蒸発・凝縮装置と、反応装置と蒸発・凝縮装置との間を水蒸気が流通するための水蒸気流通路とを備えた蓄熱装置が開示されている。上記の蒸発・凝縮装置は、底部に水を貯留することができる密閉容器に、熱媒体が循環する熱媒体循環系統を設けて構成されている。
【先行技術文献】
【特許文献】
【０００３】
【特許文献１】特開２０１３−２１６７６３号公報
【発明の概要】
【発明が解決しようとする課題】
【０００４】
特許文献１の蒸発・凝縮装置は、水蒸気を冷却して凝縮させた水を蒸発・凝縮装置を構成する密閉容器に貯蔵するようになっている。そのため、特許文献１の蒸発・凝縮装置の場合、凝縮させた水を、蒸発・凝縮装置を構成しない別の容器に輸送する必要がない。ところで、気相の媒体を凝縮させる凝縮器と、凝縮器で凝縮された液相の媒体を収容する容器とを別々に備えた構成では、液相の媒体を凝縮器から容器へ輸送する必要がある。この場合、ポンプを用いて飽和状態にある液相の媒体を輸送すると、局所的な低圧部分でキャビテーションが生じる虞がある。そして、輸送される液相の媒体にキャビテーションが生じると、媒体の輸送効率が低下する。
【０００５】
本発明は、減圧容器から回収された液相の媒体をポンプにより輸送する場合に比べて、媒体の輸送効率の低下が抑制される媒体輸送システムの提供を目的とする。
【課題を解決するための手段】
【０００６】
請求項１の媒体輸送システムは、内部が減圧された減圧容器の下側に配置され、前記減圧容器に気密状態で連結され、前記減圧容器から落下された液相の媒体を収容する第１容器と、前記減圧容器の上側に配置され、前記第１容器及び前記減圧容器に気密状態で連結され、前記減圧容器に液相の媒体を落下させる第２容器と、前記第１容器に収容されている液相の媒体を加熱して蒸発させ、第２容器内の気相の媒体を冷却して凝縮させて、前記第１容器から前記第２容器に前記媒体を気相で輸送させる輸送部と、前記第２容器内の圧力を調整する調整部と、を備え、前記調整部は、前記第２容器に収容されている液相の媒体を加熱又は冷却して前記圧力を調整する。
【０００７】
請求項１の媒体輸送システムによれば、減圧容器から落下され、第１容器に収容された液相の媒体は加熱部により加熱されて蒸発され、冷却部により第１容器から第２容器に気相の媒体として輸送され、第２容器で冷却部により凝縮された液相の媒体は減圧容器に落下される。すなわち、請求項１の媒体輸送システムは、ポンプを用いずに媒体を輸送することができる。このため、請求項１の媒体輸送システムは、減圧容器から回収された液相の媒体をポンプにより輸送する場合に比べて、キャビテーションが生じ難い。したがって、請求項１の媒体輸送システムは、キャビテーションが生じ難いことに伴い媒体の輸送効率の低下が抑制される。
【０００９】
さらに、調整部により第２容器内の圧力を調整することで、第２容器から減圧容器へ媒体を輸送する場合の媒体の輸送効率を調整することができる。
【００１１】
また、媒体を加熱又は冷却することで、第２容器内の圧力を調整することができる。
【００１２】
請求項２の蓄熱システムは、液相の媒体を蒸発させ、気相の媒体を凝縮させる前記減圧容器としての蒸発凝縮器と、請求項１に記載の媒体輸送システムと、前記蒸発凝縮器に気密状態で連結され、内部に蓄熱材を有し、前記蒸発凝縮器で蒸発させた気相の媒体を前記蓄熱材に反応させて発熱し、前記媒体と反応した前記蓄熱材から前記蒸発凝縮器で凝縮される気相の媒体を生成させて蓄熱する蓄熱器と、を備えている。
【００１３】
請求項２の蓄熱システムは、液相の媒体を蒸発させ、気相の媒体を凝縮させる減圧容器としての蒸発凝縮器と、請求項１に記載の媒体輸送システムとを備えている。したがって、請求項２の蓄熱システムによれば、減圧容器から回収された液相の媒体をポンプにより輸送する媒体輸送システムを備えた場合に比べて、媒体の輸送効率の低下に伴う熱効率の低下が抑制される。
【００１４】
請求項３のヒートポンプは、液相の媒体を蒸発させ、気相の媒体を凝縮させる前記減圧容器としての蒸発凝縮器と、請求項１に記載の媒体輸送システムと、前記蒸発凝縮器に気密状態で連結され、内部に蓄熱材を有し、前記蒸発凝縮器で蒸発させた気相の媒体を前記蓄熱材に反応させて発熱し、前記媒体と反応した前記蓄熱材から前記蒸発凝縮器で凝縮される気相の媒体を生成させて蓄熱する蓄熱器と、を備えている。
【００１５】
請求項３のヒートポンプは、液相の媒体を蒸発させ、気相の媒体を凝縮させる減圧容器としての蒸発凝縮器と、請求項１に記載の媒体輸送システムとを備えている。したがって、請求項３のヒートポンプによれば、減圧容器から回収された液相の媒体をポンプにより輸送する媒体輸送システムを備えた場合に比べて、媒体の輸送効率の低下に伴う熱効率の低下が抑制される。
【発明の効果】
【００１６】
本発明は、減圧容器から回収された液相の媒体をポンプにより輸送する場合に比べて、媒体の輸送効率の低下が抑制される。
【図面の簡単な説明】
【００１７】
【図１】発明を実施するための形態（以下、実施形態という。）の蓄熱システムを示す概略図である。
【図２】実施形態の蓄熱システムにおいて、蓄熱モードの動作時（開始後かつ終了前）の状態を示す概略図である。
【図３】実施形態の蓄熱システムにおいて、蓄熱モードの終了時の状態を示す概略図である。
【図４】実施形態の蓄熱システムにおいて、媒体輸送モードの開始時の状態を示す概略図である。
【図５】実施形態の蓄熱システムにおいて、媒体輸送モードの動作時（開始後かつ終了前）の状態を示す概略図である。
【図６】実施形態の蓄熱システムにおいて、媒体輸送モードの終了時の状態を示す概略図である。
【図７】実施形態の蓄熱システムにおいて、放熱モードの開始時の状態を示す概略図である。
【図８】実施形態の蓄熱システムにおいて、放熱モードの動作時（開始後かつ終了前）の状態を示す概略図である。
【図９】実施形態の蓄熱システムにおいて、放熱モードの動作時（開始後かつ終了前であって、図８に示す動作時よりも後）の状態を示す概略図である。
【図１０】第１比較形態の蓄熱システムを示す図であって、媒体輸送モードの動作時（開始後かつ終了前）の状態を示す概略図である。
【図１１】第２比較形態の蓄熱システムを示す概略図である。
【図１２】他の実施形態の蓄熱システムにおいて、蓄熱モードと媒体輸送モードとを並行して行っている状態を示す概略図である。
【図１３】他の実施形態の蓄熱システムを示す概略図である。
【発明を実施するための形態】
【００１８】
以下、本実施形態の蓄熱システム１０について説明する。まず、本実施形態の蓄熱システム１０の構成について説明する。次いで、本実施形態の蓄熱システム１０の動作について説明する。次いで、本実施形態の蓄熱システム１０の作用について説明する。
【００１９】
なお、本実施形態の蓄熱システム１０は本実施形態の媒体輸送システム３０を含んで構成されていることから、本実施形態の媒体輸送システム３０の構成及び動作については、本実施形態の蓄熱システム１０の構成及び動作の説明の中で説明する。また、以下の説明では、図中における矢印方向（＋Ｈ方向及び−Ｈ方向）を装置高さ方向とし、＋Ｈ方向を装置高さ方向上側、−Ｈ方向を装置高さ方向下側とし、それぞれ上側、下側とする。例えば、「蒸発凝縮器５０の上側」は蒸発凝縮器５０に対する装置高さ方向上側を、「蓄熱器２０の下側」は蓄熱器２０に対する装置高さ方向下側を意味するものとする。
【００２０】
≪蓄熱システムの構成≫
蓄熱システム１０は、図１に示されるように、蓄熱器２０と、媒体輸送システム３０と、蒸発凝縮器５０と、制御部４０と、を含んで構成されている。なお、蓄熱システム１０は、予め定められた量の水Ｗ（又は水蒸気ＷＶ）を各構成要素で構成される閉じた系で動作させるシステムである。そして、この閉じた系は、大気圧よりも気圧が低い環境（減圧環境）とされている。
【００２１】
＜蓄熱器＞
蓄熱器２０は、加熱対象を加熱するために放熱する機能と、熱源から移動させた熱を蓄熱する機能とを有する。蓄熱器２０は、図１に示されるように、容器２２と、蓄熱材２４と、流路部２６とを含んで構成されている。
【００２２】
［容器］
容器２２は、円筒状とされており、周壁２２Ａと、上壁２２Ｂと、下壁２２Ｃと、で構成されている。また、周壁２２Ａには装置高さ方向に並ぶ２ヶ所の貫通穴が形成されており、下壁２２Ｃには１ヶ所の貫通穴が形成されている。なお、容器２２は、断熱材（図示省略）により覆われている。
【００２３】
［蓄熱材］
蓄熱材２４は、容器２２内に配置されている。別言すれば、蓄熱器２０は、その内部に蓄熱材２４を有している。本実施形態の蓄熱材２４は、一例として酸化カルシウム（ＣａＯ）の成形体とされている。なお、本実施形態の蓄熱材２４は、一例として酸化カルシウムの粉体を粘土鉱物等のバインダと混練し焼成され、容器２２内に嵌り込むように円筒状に形成されている。
【００２４】
ここで、蓄熱材２４は、水和に伴って放熱（発熱）し、脱水に伴って蓄熱（吸熱）するものであり、容器２２内で以下に示す化学反応の結果、放熱、蓄熱を可逆的に繰り返し得る構成とされている（下記の式１参照）。
式１  ＣａＯ  ＋  Ｈ２Ｏ  ⇔  Ｃａ（ＯＨ）２
【００２５】
式１に発熱量Ｑ又は蓄熱量Ｑを併せて示すと、
式２  ＣａＯ  ＋  Ｈ２Ｏ  →  Ｃａ（ＯＨ）２  ＋  Ｑ
式３  Ｃａ（ＯＨ）２  ＋  Ｑ  →  ＣａＯ  ＋  Ｈ２Ｏ
となる。式２は蓄熱材２４が水和に伴って発熱量Ｑに相当する熱を放熱する化学反応を示し、式３は水酸化カルシウムの脱水に伴って蓄熱量Ｑに相当する熱を蓄熱する化学反応を示している。なお、本実施形態の蓄熱材２４の単位質量当たりの蓄熱容量は、一例として１．８６［ＭＪ／ｋｇ］とされている。
【００２６】
［流路部］
流路部２６は、熱媒体が流通する流路とされている。本実施形態の流路部２６は、図１に示されるように、一例としてパイプとされており、その一端部及び他端部が、それぞれ容器２２の外壁２２Ａの２ヶ所の貫通穴にシールされた状態で固定されている。そして、流路部２６は、その上側端部（一端部）の開口２６Ａから送り込まれる熱媒体をその下側端部（他端部）の開口２６Ｂから送り出すようになっている。なお、流路部２６における容器２２内に配置されている部分の外壁は、蓄熱材２４に接触している。
【００２７】
ここで、熱媒体とは、蓄熱材２４が放熱した熱を流路部２６を通じて吸収し、吸収した熱を加熱対象に輸送する機能と、熱源の熱を流路部２６まで輸送し、輸送した熱を流路部２６を通じて蓄熱材２４に与える機能とを有する。本実施形態の熱媒体は、一例としてオイルとされている。
【００２８】
［補足］
以上のとおり、蓄熱器２０を要素に分けて説明したが、以下、蓄熱器２０について補足する。
【００２９】
〔補足１〕
蓄熱器２０は、後述する蒸発凝縮器５０で蒸発された水蒸気ＷＶ（図９参照）を蓄熱材２４に反応（水和）させて放熱するようになっている。ここで、水蒸気ＷＶは、気相の媒体の一例である。その結果、流路部２６を流通する熱媒体は、熱を吸収するようになっている。また、蓄熱器２０は、流路部２６を流通する熱媒体から与えられる熱により水酸化カルシウムを反応（脱水）させて蓄熱するようになっている。ここで、水酸化カルシウムを反応（脱水）させるとは、水蒸気ＷＶと反応（水和）した蓄熱材２４から水蒸気ＷＶを生成することを意味する。その結果、流路部２６を流通する熱媒体は、熱を奪われるようになっている。なお、本実施形態の蓄熱器２０は、放熱する場合、熱媒体を一例として８０℃から２００℃に加熱し、蓄熱する場合、熱媒体を一例として２００℃から８０℃に冷却するようになっている。
【００３０】
〔補足２〕
蓄熱器２０（の容器２２）は、後述する蒸発凝縮器５０に気密状態で連結されている。具体的には、容器２２の下壁２２Ｃの貫通穴に後述する第１連結部８２のパイプＦ１の一端がシールされた状態で固定されている。そして、パイプＦ１の他端は、後述する蒸発凝縮器５０の容器５２の上壁５２Ｂの貫通穴にシールされた状態で固定されている。
【００３１】
〔補足３〕
流路部２６の開口２６Ａは、熱源を通るパイプ（図示省略）又は加熱対象を通るパイプ（図示省略）に、切替手段（図示省略）により切替可能に連結されている。
【００３２】
＜蒸発凝縮器＞
蒸発凝縮器５０は、水蒸気ＷＶを凝縮させる機能と、水Ｗを蒸発させる機能とを有する。また、前述のとおり、蒸発凝縮器５０内は、大気圧よりも気圧が低い環境とされている。ここで、蒸発凝縮器５０は、減圧容器の一例である。また、水Ｗは、液相の媒体の一例である。蒸発凝縮器５０は、図１に示されるように、容器５２と、流路部５４とを含んで構成されている。なお、蒸発凝縮器５０は、蓄熱器２０の下側に配置されている。
【００３３】
〔容器〕
容器５２は、円筒状とされており、周壁５２Ａと、上壁５２Ｂと、下壁５２Ｃと、で構成されている。また、周壁５２Ａには装置高さ方向に並ぶ３ヶ所の貫通穴が形成されており、上壁５２Ｂ及び下壁５２Ｃにはそれぞれ１ヶ所の貫通穴が形成されている。なお、容器５２は、断熱材（図示省略）により覆われている。
【００３４】
容器５２は、前述のとおり、上壁５２Ｂの貫通穴と蓄熱器２０の下壁２２Ｃの貫通穴とにパイプＦ１がシールされた状態で固定されることで、蓄熱器２０に気密状態で連結されている。
【００３５】
なお、容器５２の下壁５２Ｃの貫通穴には、後述する第２連結部８４のパイプＦ２の一端がシールされた状態で固定されている。また、容器５２の周壁５２Ａの３ヶ所の貫通穴のうち最も上側の貫通穴には、後述する第４連結部８８のパイプＦ４の一端がシールされた状態で固定されている。
【００３６】
〔流路部〕
流路部５４は、水（冷却水又は加熱水）が流通する流路とされている。本実施形態の流路部５４は、図１に示されるように、一例としてパイプとされており、その一端部及び他端部が、それぞれ容器５２の外壁５２Ａの３ヶ所の貫通穴のうち下側の２ヶ所にシールされた状態で固定されている。そして、流路部５４は、その上側端部（一端部）の開口５４Ａから送り込まれる水をその下側端部（他端部）の開口５４Ｂから送り出すようになっている。
【００３７】
また、本実施形態の流路部５４は、冷却水又は加熱水を送り込むパイプ（図示省略）に切替手段（図示省略）により切替可能に連結されている。そして、流路部５４は、冷却水又は加熱水が送り込まれることにより、容器５２内の水蒸気ＷＶを凝縮させる、又は、容器５２内の水Ｗを蒸発させるようになっている。なお、容器５２内の水蒸気ＷＶは、蓄熱器２０において生成され、第１連結部８２を通って容器５２内に送られた水蒸気ＷＶを意味する。
【００３８】
＜媒体輸送システム＞
媒体輸送システム３０は、図１に示されるように、第１収容部６０と、第２収容部７０と、第２連結部８４と、第３連結部８６と、第４連結部８８と、を含んで構成されている。そして、媒体輸送システム３０は、蒸発凝縮器５０で凝縮された水Ｗを収容部（第１収容部６０及び第２収容部７０）に収容させて、再度蒸発凝縮器５０に戻す（輸送する）機能を有する。
【００３９】
なお、本明細書及び図面では、第１連結部８２と、第２連結部８４と、第３連結部８６と、第４連結部８８とで構成される連結部を、連結部８０とする。そして、第１連結部８２は蓄熱器２０と蒸発凝縮器５０とを、第２連結部８４は蒸発凝縮器５０と第１収容部６０とを、第３連結部８６は第１収容部６０と第２収容部７０とを、第４連結部８８は第２収容部７０と蒸発凝縮器５０とを連結している。また、第１〜第４連結部８２、８４、８６、８８は、それぞれ、水Ｗ又は水蒸気ＷＶの輸送路を構成するパイプＦ１、Ｆ２、Ｆ３、Ｆ４と、各パイプＦ１、Ｆ２、Ｆ３、Ｆ４に設けられ、水Ｗ又は水蒸気ＷＶの輸送路を開閉するバルブＶ１、Ｖ２、Ｖ３、Ｖ４と、を備えている。
【００４０】
［第１収容部］
第１収容部６０は、図１に示されるように、容器６２と、流路部６４と、を含んで構成されている。ここで、容器６２は、第１容器の一例である。第１収容部６０は、蒸発凝縮器５０の下側に配置されている。
【００４１】
〔容器〕
容器６２は、蒸発凝縮器５０から落下された水Ｗを収容する機能を有する。容器６２は、円筒状とされており、周壁６２Ａと、上壁６２Ｂと、下壁６２Ｃと、で構成されている。また、周壁６２Ａには装置高さ方向に並ぶ３ヶ所の貫通穴が形成されており、上壁６２Ｂには１ヶ所の貫通穴が形成されている。なお、容器６２は、断熱材（図示省略）により覆われている。
【００４２】
容器６２の上壁６２Ｂの貫通穴には、第２連結部８４のパイプＦ２の端部における蒸発凝縮器５０に固定された端部と反対側の端部がシールされた状態で固定されている。そのため、容器６２は、蒸発凝縮器５０に気密状態で連結されている。なお、本実施形態のパイプＦ２は、装置高さ方向に沿っている。また、容器６２の周壁６２Ａの３ヶ所の貫通穴のうち最も上側の貫通穴には、第３連結部８６のパイプＦ３の一端がシールされた状態で固定されている。なお、上記の最も上側の貫通穴は、本実施形態の蓄熱システム１０における閉じた系のすべての水Ｗが凝縮して収容されていると仮定した場合の液面よりも上側に形成されている。
【００４３】
以上のとおり、容器６２が蒸発凝縮器５０の下側に配置されており、かつ、パイプＦ２が装置高さ方向に沿っていることから、容器６２は、蒸発凝縮器５０内に水Ｗが凝縮されて収容されている場合に第２連結部８４のバルブＶ２が開くと、重力により落下された水Ｗを収容するようになっている（図２及び図３参照）。なお、蒸発凝縮器５０から落下されて容器６２に収容される水Ｗは、いわゆる飽和状態とされている。
【００４４】
〔流路部〕
流路部６４は、容器６２に収容されている水Ｗを加熱して蒸発させることで、容器６２内に水蒸気ＷＶを生成させる機能を有する。ここで、流路部６４は、加熱部の一例である。
【００４５】
流路部６４は、図１に示されるように、一例としてパイプとされており、その一端部及び他端部が、それぞれ容器６２の外壁６２Ａの３ヶ所の貫通穴のうち下側の２ヶ所の貫通穴にシールされた状態で固定されている。流路部６４は、その上側端部（一端部）の開口６４Ａから送り込まれる水（加熱水）をその下側端部（他端部）の開口６４Ｂから送り出すようになっている。そして、バルブＶ２、Ｖ３が閉じた状態で流路部６４に加熱水が流されると、流路部６４は、容器６２内で水Ｗを加熱して、容器６２内に収容されている水Ｗを蒸発させるようになっている（図４参照）。その結果、容器６２内の圧力が第２収容部７０の容器７２内の圧力よりも高い状態でバルブＶ３が開くと、容器６２内の水蒸気ＷＶは、容器７２に輸送されるようになっている（図５参照）。
【００４６】
［第２収容部］
第２収容部７０は、図１に示されるように、容器７２と、加熱冷却部７４と、を含んで構成されている。ここで、容器７２は、第２容器の一例である。また、加熱冷却部７４は、冷却部及び調整部の一例である。第２収容部７０は、蒸発凝縮器５０の上側に配置されている。
【００４７】
〔容器〕
容器７２は、前述のとおり、第１収容部６０の容器６２から水蒸気ＷＶとして輸送され、凝縮された水Ｗを収容する機能と、収容されている水Ｗを蒸発凝縮器５０に落下させる機能とを有する。容器７２は、円筒状とされており、周壁７２Ａと、上壁７２Ｂと、下壁７２Ｃと、で構成されている。また、周壁７２Ａには装置高さ方向に並ぶ２ヶ所の貫通穴が形成されており、上壁７２Ｂ及び下壁７２Ｃにはそれぞれ１ヶ所の貫通穴が形成されている。なお、容器７２は、断熱材（図示省略）により覆われている。
【００４８】
容器７２の上壁７２Ｃの貫通穴には、第３連結部８６のパイプＦ３の端部における第１収容部６０の容器６２に固定された端部と反対側の端部がシールされた状態で固定されている。そのため、容器７２は、容器６２に気密状態で連結されている。
【００４９】
また、容器７２の下壁７２Ｃの貫通穴には、第４連結部８８のパイプＦ４の端部における蒸発凝縮器５０に固定された端部と反対側の端部がシールされた状態で固定されている。そのため、容器７２は、蒸発凝縮器５０に気密状態で連結されている。
【００５０】
以上のとおり、容器７２が蒸発凝縮器５０の上側に配置されていることから、容器７２は、その中に水Ｗが収容されている場合に第４連結部８８のバルブＶ４が開くと、蒸発凝縮器５０に水Ｗを落下させるようになっている（図７及び図８参照）。
【００５１】
〔加熱冷却部〕
加熱冷却部７４は、容器７２内の水蒸気ＷＶを冷却して凝縮させる機能と、容器７２内の圧力を調整する機能を有する。具体的には、加熱冷却部７４は、容器７２内の水蒸気ＷＶを冷却して、容器７２内の水蒸気ＷＶを凝縮させて容器７２内の圧力を低く調整するようになっている。その結果、容器７２内の圧力が第１収容部６０の容器６２内の圧力よりも低い状態でバルブＶ３が開くと、水蒸気ＷＶは、容器７２内と容器６２内の圧力差により容器６２から容器７２へ輸送されるようになっている（図５参照）。また、加熱冷却部７４は、容器７２に収容されている水Ｗを加熱して、加熱されて蒸発した水蒸気ＷＶにより容器７２内の圧力を高く調整するようになっている。すなわち、加熱冷却部７４は、水蒸気ＷＶを冷却又は水Ｗを加熱して、容器７２内の圧力を調整する機能を有する。
【００５２】
加熱冷却部７４は、図１に示されるように、一例としてパイプとされており、その一端部及び他端部が、それぞれ容器７２の外壁７２Ａの２ヶ所の貫通穴にシールされた状態で固定されている。加熱冷却部７４は、その上側端部（一端部）の開口７４Ａから送り込まれる水（冷却水又は加熱水）をその下側端部（他端部）の開口７４Ｂから送り出すようになっている。そして、加熱冷却部７４は、バルブＶ３、Ｖ４が閉じた状態で加熱水が流されると、容器７２内の水Ｗを加熱して、容器７２内の水Ｗの一部を蒸発させるようになっている。その結果、容器７２内の圧力がより高くなった状態でバルブＶ４が開くと、容器７２の水Ｗは、水蒸気ＷＶに加圧されて、水Ｗを重力だけで落下させるよりも高い輸送効率（単位時間当たりに輸送される水Ｗ（被輸送対象）の量を意味する。）で蒸発凝縮器５０に輸送されるようになっている。また、加熱冷却部７４は、バルブＶ３、Ｖ４が閉じた状態で冷却水が流されると、容器７２内の水蒸気ＷＶを凝縮させるようになっている。その結果、容器７２内の圧力がより低くなった状態でバルブＶ３が開くと、第１収容部６０の容器６２内の圧力と容器７２内の圧力との差がより大きくなり、容器６２の水蒸気ＷＶは、第１収容部６０の加熱部６４だけに加熱水が流される場合よりも高い輸送効率で容器７２に輸送されるようになっている。
【００５３】
［補足（輸送部）］
前述のとおり、容器６２から第２収容部７０の容器７２への水蒸気ＷＶ（水Ｗを気相にして）の輸送は、第１収容部６０の流路部６４により容器６２内の水Ｗを加熱して蒸発させ、第２収容部７０の加熱冷却部７４により容器７２内の水蒸気ＷＶを冷却して凝縮させることによる、容器６２内の圧力と容器７２内の圧力との差の関係に基づき実現する。つまり、流路部６４と、加熱冷却部７４との組み合わせ（輸送部９０という。）は、水蒸気ＷＶを輸送する機能を有する。
【００５４】
＜制御部＞
制御部４０は、蓄熱システム１０を構成する制御部４０以外の構成要素を制御する機能を有する。制御部４０についての具体的な説明は、蓄熱システム１０の動作の説明の中で行う。
【００５５】
以上が、本実施形態の蓄熱システム１０の構成についての説明である。
【００５６】
≪蓄熱システムの動作≫
次に、本実施形態の蓄熱システム１０の動作（本実施形態の媒体輸送システム３０の動作を含む。）について、図面を参照しつつ説明する。本実施形態の蓄熱システム１０の動作は、蓄熱モードと、媒体輸送モードと、放熱モードと、を含む。また、蓄熱システム１０の動作は、制御部４０が制御部４０以外の構成要素を制御することで行われる。
【００５７】
＜蓄熱システムの初期状態＞
また、本実施形態の蓄熱システム１０の動作を説明するに当たり、蓄熱システム１０を構成する各構成要素の初期状態を以下のとおりとする。
【００５８】
［蓄熱器］
蓄熱材２４は、水和可能な最大量の水Ｗが水和した状態である。そのため、本実施形態の蓄熱材２４は、酸化カルシウムが水Ｗと反応（水和）して、水酸化カルシウムとなっている。また、容器２２の温度は５℃、圧力は０．９ｋＰａである。
【００５９】
［蒸発凝縮器、第１収容部、第２収容部及び連結部］
容器５２の温度は５℃、圧力は０．９ｋＰａである。容器６２の温度は５℃、圧力は０．９ｋＰａである。容器７２の温度は５℃、圧力は０．９ｋＰａである。連結部８０を構成する第１〜第４連結部８２、８４、８６、８８の温度は５℃、圧力は０．９ｋＰａである。
【００６０】
＜蓄熱モード＞
蓄熱モードは、熱媒体から与えられる熱により水酸化カルシウムを反応（脱水）させて蓄熱するモードである。
【００６１】
まず、制御部４０は、図２に示されるように、バルブＶ１を開けて、バルブＶ２、Ｖ３、Ｖ４を閉じる。ここで、各図において、バルブＶ１のように白抜きで図示されているバルブは開いた状態、バルブＶ２、Ｖ３、Ｖ４のように外形線の中が黒塗りで図示されているバルブは閉じた状態を示している。次いで、制御部４０は、熱源を通るパイプ（図示省略）から流路部２６の開口２６Ａに一例として２００℃の熱媒体を送り込む。その結果、蓄熱器２０の蓄熱材２４は、流路部２６を流通する熱媒体から与えられる熱により水酸化カルシウムを脱水させる（水蒸気ＷＶを生成する）。これに伴い、蓄熱材２４は、蓄熱する。そして、容器２２で生成された水蒸気ＷＶは、第１連結部８２を通って、蒸発凝縮器５０の容器５２に流れ込む。なお、流路部２６の開口２６Ａに送り込まれた２００℃の熱媒体は、蓄熱材２４に熱を与えることにより、一例として８０℃に冷却されて、流路部２６の開口２６Ｂから排出される。
【００６２】
また、制御部４０は、蒸発凝縮器５０の流路部５４に、一例として４０℃の水（冷却水）を流す。その結果、容器２２から第１連結部８２を通って流れ込んだ水蒸気ＷＶは、蒸発凝縮器５０で凝縮する（４０℃の水Ｗになる）。
【００６３】
次いで、制御部４０は、蒸発凝縮器５０の容器５２に定められた時間が経過すると、バルブＶ１を閉じ、バルブＶ２を開ける。その結果、容器５２に凝縮された水Ｗは、図３に示されるように、第２連結部８４のパイプＦ２を通って第１収容部６０の容器６２に重力により落下されて容器６２に収容される。以上で、蓄熱モードは終了する。
【００６４】
＜媒体輸送モード＞
媒体輸送モードは、蒸発凝縮器５０で凝縮された水Ｗを収容部（第１収容部６０及び第２収容部７０）に収容させて、再度蒸発凝縮器５０に戻す（輸送する）モードである。媒体輸送モードは、制御部４０が、蓄熱システム１０を構成する構成要素のうち媒体輸送システム３０を制御することで行われる。すなわち、媒体輸送モードは、本実施形態の媒体輸送システム３０の動作に相当する。なお、媒体輸送モードは、蓄熱モードの終了後に行われる。
【００６５】
まず、制御部４０は、図４に示されるように、バルブＶ２を閉じる。次いで、制御部４０は、第１収容部６０の流路部６４に、一例として加熱水（８０℃の水）を流す。その結果、第１収容部６０の容器６２に収容されている水Ｗは、流路部６４から熱を与えられて加熱され、蒸発して水蒸気ＷＶとなる。また、制御部４０は、第２収容部７０の加熱冷却部７４に、一例として冷却水（５℃の水）を流す。その結果、容器７２内の圧力は、初期状態を維持する。そして、バルブＶ２とバルブＶ３とで閉じられた容器６２を含む系及びバルブＶ３とバルブＶ４とで閉じられた容器７２を含む系が平衡状態となると、容器６２内の圧力は１２ｋＰａとなる。すなわち、容器６２内の圧力は、第２収容部７０の容器７２内の圧力（０．９ｋＰａよりも低い圧力）に比べて、高くなる。
【００６６】
次いで、制御部４０は、図５に示されるように、バルブＶ３を開ける。その結果、容器６２に収容されている水蒸気ＷＶは、容器６２内の圧力が容器７２内の圧力よりも高いことから、第３連結部８６のパイプＦ３を通って、第２収容部７０の容器７２に輸送される。容器７２内に輸送された水蒸気ＷＶは、容器７２及び加熱冷却部７４に熱を奪われて、容器７２内で凝縮する。そして、第２収容部７０の容器７２に収容されている水Ｗの液面の位置が動かなくなると（平衡状態になると）、制御部４０はバルブＶ３を閉じて、媒体輸送モードが終了する（図６参照）。
【００６７】
＜放熱モード＞
放熱モードは、蒸発凝縮器５０で蒸発された水蒸気ＷＶを蓄熱材２４に反応（水和）させて放熱するモードである。なお、放熱モードは、媒体輸送モードの終了後に行われる。
【００６８】
まず、制御部４０は、第２収容部７０の加熱冷却部７４に、一例として加熱水（４０℃の水）を流す。その結果、容器７２内の水Ｗの一部は蒸発して水蒸気ＷＶとなることで、容器７２内の圧力は、初期状態（及び媒体輸送モードの終了時の圧力）よりも高くなる。次いで、制御部４０は、図７に示されるように、バルブＶ１、Ｖ４を開く。その結果、第２収容部７０の容器７２に収容されている水Ｗは、容器７２内の水蒸気ＷＶに加圧されながら、第４連結部８８のパイプＦ４を通って蒸発凝縮器５０の容器５２に落下されて容器５２内に収容される（図８参照）。そして、制御部４０は、容器７２が空になったら（容器７２の水Ｗが蒸発凝縮器５０の容器５２に収容されたら）、バルブＶ４を閉じる。
【００６９】
次いで、制御部４０は、蒸発凝縮器５０の流路部５４に、一例として７０℃の水（加熱水）を流す。その結果、図９に示されるように、容器５２の水Ｗは加熱されて蒸発し、水蒸気ＷＶが生成される。そして、容器５２で生成された水蒸気ＷＶは、第１連結部８２を通って、蓄熱器２０の容器２２に流れ込む。さらに、容器２２に流れ込んだ水蒸気ＷＶは、蓄熱材２４（酸化カルシウム）に水和される。これに伴い、蓄熱材２４は、放熱する。また、制御部４０が流路部２６の開口２６Ａに一例として８０℃の熱媒体を送り込むと、熱媒体は、蓄熱材２４が放熱した熱を流路部２６を通じて吸収し、一例として２００℃に加熱されて、流路部２６の開口２６Ｂから排出される。以上で、放熱モードは終了する。なお、放熱モードにより加熱された熱媒体は、パイプ（図示省略）を通って、加熱対象に吸収した熱を輸送する。
【００７０】
以上が、本実施形態の蓄熱システム１０の動作についての説明である。なお、本実施形態の蓄熱システム１０の動作の説明は、前述した蓄熱システム１０の初期状態を前提として行った。しかしながら、異なる初期状態（例えば、蓄熱材２４が完全に脱水した状態とし、かつ、蒸発凝縮器５０の容器５２に水Ｗが収容されている状態）の場合、制御部４０は、本実施形態の蓄熱システム１０の動作を蓄熱モードの途中又は放熱モードの途中から開始するようにしてもよい。
【００７１】
≪作用≫
次に、本実施形態の作用（第１〜第３の作用）について、以下に説明する各比較形態と比較しつつ図面を参照して説明する。なお、各比較形態において本実施形態で用いた部品等を用いる場合又は本実施形態の動作の各モードを行う場合、その部品、モード等の符号、名称等をそのまま用いて説明する。
【００７２】
＜第１の作用＞
まず、本実施形態の第１の作用について説明する。第１の作用は、媒体輸送システム３０が流路部６４を備えており、かつ、第２収容部７０が蒸発凝縮器５０の上側に配置されていることの作用である。なお、第１の作用については、本実施形態を以下の第１比較形態と比較して説明する。
【００７３】
第１比較形態の媒体輸送システム３０Ａは、図１０に示されるように、本実施形態の媒体輸送システム３０との関係において、流路部６４と、第２収容部７０と、第４連結部８８と、を備えていない。そして、第１比較形態の媒体輸送システム３０Ａは、第１収容部６０と蒸発凝縮器５０とは、第３連結部８６により連結されている。また、第１比較形態の媒体輸送システム３０Ａは、第３連結部８６のパイプＦ３に第１収容部６０から蒸発凝縮器５０に水Ｗを送液するポンプＰが備えられている。第１比較形態の媒体輸送システム３０Ａは、上記の点以外、本実施形態の媒体輸送システム３０と同様の構成とされている。また、第１比較形態の蓄熱システム１０Ａは、本実施形態の媒体輸送システム３０に換えて、第１比較形態の媒体輸送システム３０Ａを備えている点以外、本実施形態の蓄熱システム１０と同様の構成とされている。
【００７４】
また、第１比較形態の蓄熱システム１０Ａの動作では、本実施形態の蓄熱システム１０の動作と異なり、媒体輸送モード及び放熱モードにおいて、第１収容部６０の容器６２に収容されている水Ｗを容器６２から蒸発凝縮器５０の容器５２にポンプＰを用いて輸送する。第１比較形態の蓄熱システム１０Ａの動作は、上記の点以外、本実施形態の蓄熱システム１０の動作と同様とされている。
【００７５】
第１比較形態の場合、第１収容部６０の容器６２に収容されている水Ｗは、ポンプＰにより容器６２から蒸発凝縮器５０の容器５２に輸送される。このように、ポンプＰを用いて飽和状態の水Ｗを輸送すると、ポンプＰの駆動による水Ｗの局所的な低圧部分でキャビテーションが生じる虞がある。そして、第１比較形態の媒体輸送システム３０Ａは、キャビテーションが生じた場合、泡を含んだ状態の水Ｗを輸送することとなることから、水Ｗの輸送効率が低下する。
【００７６】
これに対して、本実施形態の媒体輸送システム３０は、図１に示されるように、流路部６４を備えている。また、本実施形態の媒体輸送システム３０では、第２収容部７０が蒸発凝縮器５０の上側に配置されている。そして、本実施形態の場合、第１収容部６０の容器６２に収容されている水Ｗは、図５及び図６に示されるように、容器６２で流路部６４により加熱されて蒸発され、水蒸気ＷＶとして第３連結部８６のパイプＦ３を通って、第２収容部７０の容器７２に輸送される。次いで、容器７２内に輸送された水蒸気ＷＶは、容器７２及び加熱冷却部７４に熱を奪われて、容器７２内で凝縮する。次いで、容器７２内に凝縮した水Ｗは、図７及び図８に示されるように、第４連結部８８のパイプＦ４を通って、蒸発凝縮器５０の容器５２に落下されて容器５２に収容される。以上のとおり、本実施形態の媒体輸送システム３０によれば、第１比較形態の場合のように、ポンプＰを用いることなく水Ｗを輸送することができる。
【００７７】
したがって、本実施形態の媒体輸送システム３０によれば、蒸発凝縮器から回収された水ＷをポンプＰにより輸送する場合に比べて、キャビテーションが生じ難い。これに伴い、本実施形態の媒体輸送システム３０によれば、キャビテーションが生じ難いことに伴い水Ｗの輸送効率の低下が抑制される。また、本実施形態の蓄熱システム１０によれば、水Ｗの輸送効率の低下に伴い蓄熱器２０の熱効率（蓄熱効率）の低下が抑制される。ここで、蓄熱器２０の蓄熱効率とは、放熱モードにおいて、蒸発凝縮器５０から単位時間当たりに送り込まれる水蒸気ＷＶの量に起因する蓄熱材２４と水蒸気ＷＶとの反応（水和）効率をいう。
【００７８】
＜第２の作用＞
次に、本実施形態の第２の作用について説明する。第２の作用は、第２収容部７０に加熱冷却部７４が備えられていることの作用である。なお、第２の作用については、本実施形態を以下の第２比較形態と比較して説明する。
【００７９】
第２比較形態の媒体輸送システム３０Ｂは、図１１に示されるように、本実施形態の媒体輸送システム３０との関係において、第２収容部７０に加熱冷却部７４を備えていない。第２比較形態の媒体輸送システム３０Ｂは、上記の点以外、本実施形態の媒体輸送システム３０と同様の構成とされている。また、第２比較形態の蓄熱システム１０Ｂは、本実施形態の媒体輸送システム３０に換えて、第１比較形態の媒体輸送システム３０Ｂを備えている点以外、本実施形態の蓄熱システム１０と同様の構成とされている。そのため、第２比較形態の蓄熱システム１０Ｂは、第２収容部７０の容器７２内の圧力を調整することができない。
【００８０】
前述のとおり、第２比較形態の媒体輸送システム３０Ｂは、第２収容部７０に加熱冷却部７４が備えられていない。そのため、第２比較形態の媒体輸送システム３０Ｂは、媒体輸送モードにおいて、第２収容部７０の容器７２内の水蒸気ＷＶを冷却して凝縮させることができない。また、第２比較形態の媒体輸送システム３０Ｂの場合、容器７２内の圧力を低く調整することもできない。
【００８１】
これに対して、本実施形態の媒体輸送システム３０は、図１に示されるように、第２収容部７０に加熱冷却部７４が備えられている。本実施形態の場合、媒体輸送モードにおいて、加熱冷却部７４に冷却水を流すことで、第２収容部７０の容器７２内を減圧する（又は昇圧し難くする）ことができる。そのため、本実施形態の媒体輸送システム３０は、第２比較形態の媒体輸送システム３０Ｂよりも第１収容部６０の容器６２内の圧力を第２収容部７０の容器７２内の圧力よりもさらに高くさせた状態で、第１収容部６０の容器６２内の水蒸気ＷＶを容器７２内に輸送させることができる。また、本実施形態の場合、蓄熱モードにおいて、加熱冷却部７４に加熱水を流すことで水Ｗの一部を蒸発させて、第２収容部７０の容器７２内の圧力をより高くすることができる。そのため、本実施形態の媒体輸送システム３０は、第２比較形態の媒体輸送システム３０Ｂと異なり、容器７２の水Ｗを加圧しながら蒸発凝縮器５０の容器５２に落下させることができる。以上のとおり、本実施形態の媒体輸送システム３０は、加熱冷却部７４を容器７２内の水Ｗを加熱又は冷却して、第２収容部７０の容器７２の圧力を調整することができる。
【００８２】
したがって、本実施形態の媒体輸送システム３０は、媒体輸送モード又は放熱モードにおいて水Ｗの輸送効率を調整することができる。具体的には、本実施形態の媒体輸送システム３０は、媒体輸送モードにおいて加熱冷却部７４を冷却させることで、第１収容部６０から第２収容部７０への水Ｗの輸送効率を高くすることができる。また、本実施形態の媒体輸送システム３０は、蓄熱モードにおいて加熱冷却部７４を加熱させることで、第２収容部７０から蒸発凝縮器５０への水Ｗの輸送効率を高くすることができる。さらに、本実施形態の蓄熱システム１０は、媒体輸送モード及び放熱モードのうち何れか一方又は両方において水Ｗの輸送効率を高くすることができることに伴い、蓄熱器２０の蓄熱効率を高くすることができる。
【００８３】
＜第３の作用＞
次に、本実施形態の第３の作用について説明する。第３の作用は、媒体輸送モードにおいて第１収容部６０の容器６２内の水Ｗを加熱して蒸発させ、水蒸気ＷＶとして容器６２から第２収容部７０の容器７２に輸送することの作用である。なお、第３の作用については、本実施形態を以下の第３比較形態と比較して説明する。
【００８４】
第３比較形態の媒体輸送システム（図示省略）は、本実施形態の媒体輸送システム３０と異なり、流路部６４に加熱水を流すことで水Ｗの一部を蒸発させて水蒸気ＷＶにより水Ｗを加圧することで、水Ｗを容器６２から容器７２へ輸送する。そのため、第３比較形態の媒体輸送システム（図示省略）は、本実施形態の媒体輸送システム３０と異なり、第３連結部８６のパイプＦ３の両端部が第１収容部６０の容器６２の下壁６２Ｃと第２収容部７０の容器７２の下壁７２Ｃとで連結されている。第３比較形態の媒体輸送システムは、上記の点以外、本実施形態の媒体輸送システム３０と同様の構成とされている。また、第３比較形態の蓄熱システム（図示省略）は、本実施形態の媒体輸送システム３０に換えて、第３比較形態の媒体輸送システムを備えている点以外、本実施形態の蓄熱システム１０と同様の構成とされている。第３比較形態の蓄熱システムの動作は、上記の点以外、本実施形態の蓄熱システム１０の動作と同様とされている。
【００８５】
第３比較形態の場合、前述のとおり、媒体輸送モードにおいて、水Ｗを第１収容部６０の容器６２から第２収容部７０の容器７２に輸送する。そのため、第３比較形態の場合、水Ｗの流路である第３連結部８６のパイプＦ３の流路面積を大きくする必要がある。
【００８６】
これに対して、本実施形態の場合、媒体輸送モードにおいて第１収容部６０の容器６２内の水Ｗを加熱して蒸発させ、水蒸気ＷＶとして容器６２から第２収容部７０の容器７２に輸送する。そのため、本実施形態の場合、第３比較形態の場合に比べて、パイプＦ３の流路面積を大きくする必要がない。
【００８７】
したがって、本実施形態の媒体輸送システム３０によれば、媒体輸送モードにおいて液の状態の水Ｗを輸送する場合に比べて、例えばパイプＦ１の径、パイプＦ１の長さ、媒体輸送システム３０におけるパイプＦ１のレイアウト等において自由度が高い。
【００８８】
以上のとおり、本発明について前述の特定の実施形態を用いて説明した。しかしながら、本発明は、前述した特定の実施形態に限定されるものではなく、本発明の技術的思想の範囲内において他の実施形態を含むものであることはいうまでもない。
【００８９】
例えば、本実施形態の蓄熱材２４は、一例として酸化カルシウム（ＣａＯ）の成形体であるとして説明した。しかしながら、蓄熱器２０において蓄熱材としての機能（放熱及び蓄熱する機能）を有すれば、酸化カルシウム以外の化学蓄熱材であってもよい。例えば、蓄熱材２４は、アルカリ金属若しくはアルカリ土類金属の酸化物若しくは水酸化物又はこれらの複合物その他の化学蓄熱材であってもよい。
【００９０】
また、本実施形態の蓄熱材２４は、一例として酸化カルシウム（ＣａＯ）の成形体、すなわち、水Ｗ（熱媒）が化学反応する化学蓄熱材であるとして説明した。しかしながら、蓄熱器２０において蓄熱材としての機能（放熱及び蓄熱する機能）を有すれば、水Ｗ（熱媒）が物理吸着する蓄熱材（物理吸着材）であってもよい。例えば、蓄熱材２４は、活性炭、メソポーラスシリカ、ゼオライト、シリカゲル、粘土鉱物その他の物理吸着材であってもよい。
【００９１】
また、本実施形態の蓄熱材２４に反応する熱媒は、水であるとして説明した。しかしながら、蓄熱材（化学蓄熱材及び物理吸着材）に反応して蓄熱材としての機能を有する熱媒であれば、熱媒は水でなくてもよい。例えば、熱媒は、アンモニア、二酸化炭素その他の熱媒であってもよい。なお、本実施形態では、熱媒は水とされているが、水Ｗはアンモニアに比べて飽和蒸気圧が低い。そのため、水はアンモニアに比べて蒸発しやすい点で、本実施形態の媒体輸送システム３０、３０Ｂ、本実施形態の蓄熱システム１０、１０Ｂに適している。
【００９２】
また、本実施形態では、蓄熱器２０の流路部２６を流通する熱媒体は、一例としてオイル（液体）であるとして説明した。しかしながら、流路部２６を流通する熱媒体が、熱媒体としての機能（熱を加熱対象に輸送する機能及び熱源から得た熱を蓄熱材に与える機能）を有すれば、熱媒体はオイル以外の液体、例えば、水、アルコールその他の液体であってもよい。また、熱媒体が上記の熱媒体としての機能を有すれば、熱媒体は、酸素、窒素、空気その他の気体であってもよい。また、熱媒体が上記の熱媒体としての機能を有すれば、熱媒体は、ゾル、ゲル、エマルジョン、スラリーその他の連続体（粘弾性体）であってもよい。
【００９３】
また、本実施形態の第１収容部６０の流路部６４には水が流されるとして説明した。しかしながら、流路部６４が第１収容部６０の容器６２に収容されている水Ｗを蒸発させるための熱を水Ｗに供給するものであれば、流路部６４を異なる加熱方式の加熱部に換えてもよい。例えば、異なる加熱方式の加熱部は、蒸発凝縮器５０の流路部５４のように流通するオイルを用いた方式、ジュール熱を用いた方式の加熱部その他の加熱部であってもよい。なお、本実施形態の第２収容部７０の加熱冷却部７４の場合も、蒸発凝縮器５０の流路部５４のように流通するオイルを用いた方式、ジュール熱を用いた方式の加熱冷却部その他の加熱冷却部であってもよい。
【００９４】
また、本実施形態では、第１収容部６０の容器６２における第３連結部８６のパイプＦ３が固定されている貫通穴は、蓄熱システム１０における閉じた系のすべての水Ｗが凝縮して収容されていると仮定した場合の液面よりも上側に形成されているとして説明した。しかしながら、上記貫通穴が、容器６２における上記液面よりも上側に形成されていれば、上記貫通穴は、容器６２における上壁６２Ｂに形成されていてもよい。
【００９５】
また、本実施形態では、第２収容部７０の容器７２における第３連結部８６のパイプＦ３が固定されている貫通穴は、上壁７２Ｂに形成されているとして説明した。しかしながら、上記貫通穴は、容器７２内に蓄熱システム１０における閉じた系のすべての水Ｗが凝縮して収容されていると仮定した場合の液面よりも上側であれば、容器７２の周壁７２Ａに形成されていてもよい。
【００９６】
また、本実施形態の第２収容部７０は、蒸発凝縮器５０の上側に配置されているとして説明した。しかしながら、第２収容部７０の下壁７２Ｃの外側の面（下面）の位置が蒸発凝縮器５０の上壁５２Ｂの外側の面（上面）の位置よりも上側でなくてもよい。具体的には、蒸発凝縮器５０で凝縮して収容される水Ｗの液面の位置よりも、第２収容部７０の下壁７２Ｃの内側の面（上面）が上側であればよい。
【００９７】
また、本実施形態の蓄熱システム１０の動作の説明において、媒体輸送モードは、蓄熱モードの終了後に行われるとして説明した。しかしながら、蓄熱モードと媒体輸送モードとを並行して行うようにしてもよい。具体的には、制御部４０は、蓄熱モードにおいて、蒸発凝縮器５０の容器５２に定められた量の水Ｗが凝縮した後、第２連結部８４のバルブＶ２を開いて第１収容部６０に水Ｗを落下させて、制御部４０は、図１２に示されるように、バルブＶ２を閉じて、蓄熱器２０、蒸発凝縮器５０及び第１連結部８２に蓄熱モードを行わせながら、第１収容部６０、第２収容部７０及び第３連結部８６に媒体輸送モードを行わせてもよい。すなわち、蓄熱システム１０を上記のように動作させることで、本実施形態の蓄熱システム１０、１０Ｂは、蓄熱モードと媒体輸送モードとを並行して行うことが可能となる。
【００９８】
また、本実施形態の蓄熱システム１０は、第２収容部７０の容器７２の圧力を調整する調整部の一例が加熱冷却部７４であるとして説明した。しかしながら、容器７２の圧力を調整することができれば、調整部は、加熱冷却部７４と異なる調整方式の調整部であってもよい。例えば、加熱冷却部７４に換えて、本実施形態の閉じた系の外部の容器（図示省略）との間で水蒸気ＷＶの量を調整するように構成してもよい。
【００９９】
また、本実施形態の蓄熱システム１０、１０Ｂは、蒸発凝縮器５０が１つであるとして説明した（図１及び図１１参照）。しかしながら、図１３に示される蓄熱システム１０Ｃのように、本実施形態の蒸発凝縮器５０と同等の構成の装置を２つ備えた形態とし、一方の装置を蓄熱器２０及び第１収容部６０と連結させ、他方の装置を第２収容部７０及び蓄熱器２０と連結させて、上記一方の装置を凝縮器、上記他方の装置を蒸発器として、２つの装置に、蒸発凝縮器の機能を分離させた形態としてもよい。この場合、図１３に示される２つの装置５０を合わせた装置は、蒸発凝縮器及び減圧容器の一例である。
【０１００】
また、本実施形態の蓄熱システム１０、１０Ｂ、１０Ｃは、熱媒体を介して熱を加熱対象に輸送し、熱源から移動させた熱を蓄熱材で蓄熱するとして説明したが、蓄熱システム１０、１０Ｂ、１０Ｃの構成をヒートポンプに適用することもできる。そして、蓄熱システム１０、１０Ｂ、１０Ｃの構成を備えたヒートポンプは、前述の第１比較形態の蓄熱システム１０Ａの構成を備えたヒートポンプに比べて、本実施形態の媒体輸送システム３０による水Ｗの輸送効率の低下が抑制されることに伴い熱効率（放熱効率及び吸熱効率）が高い。
【０１０１】
また、本発明の技術的範囲に含まれるシステム（蓄熱システム又はヒートポンプ）は、複数の蓄熱システム１０と、各蓄熱器２０への熱媒体の流通を切り替える切替手段と、を備えたシステム（蓄熱システム又はヒートポンプ）とであってもよい。この場合、上記システムにおいて、熱媒体の流路部を切替手段により切り替えながら動作させることで、蓄熱モード（又は放熱モード）を連続的に行うことができる。なお、蓄熱システム１０Ｂ、１０Ｃの場合も、それぞれ複数とし、切替手段により熱媒体の流路部を切り替えながら動作させてもよい。
【符号の説明】
【０１０２】
１０          蓄熱システム、ヒートポンプ
１０Ｃ        蓄熱システム、ヒートポンプ
２０          蓄熱器
２４          蓄熱材
３０          媒体輸送システム
３０Ｃ        媒体輸送システム
５０          蒸発凝縮器（減圧容器の一例）
６２          容器（第１容器の一例）
６４          流路部（加熱部の一例）
７２          容器（第２容器の一例）
７４          加熱冷却部（冷却部の一例、調整部の一例）
９０          輸送部
Ｗ            水（液相の媒体の一例）
ＷＶ          水蒸気（気相の媒体の一例） 
【図１】
0006497197.tif 000002
【図２】
0006497197.tif 000003
【図３】
0006497197.tif 000004
【図４】
0006497197.tif 000005
【図５】
0006497197.tif 000006
【図６】
0006497197.tif 000007
【図７】
0006497197.tif 000008
【図８】
0006497197.tif 000009
【図９】
0006497197.tif 000010
【図１０】
0006497197.tif 000011
【図１１】
0006497197.tif 000012
【図１２】
0006497197.tif 000013
【図１３】
0006497197.tif 000014